(57)【要約】【課題】簡便にサンプル画像を表示させることができる撮像装置を提供する。【解決手段】被写体を撮影する撮影部１８と、位置情報を計測する位置計測部６と、日時を計測する時計部４と、撮影時の位置情報と日時の情報を含む撮影情報が付加されたサンプル画像を記憶する画像記憶部２６と、前記位置計測部によって計測された位置情報及び前記時計部によって計測された日時の情報を含む現在情報を前記撮影情報と比較し、前記画像記憶部に記憶されたサンプル画像を抽出する抽出部４と、前記抽出部によって抽出された前記サンプル画像を表示する表示部１４とを備える。【選択図】  図１
2013141131.tif 000002
【特許請求の範囲】
【請求項１】
被写体を撮影する撮影部と、
位置情報を計測する位置計測部と、
日時を計測する時計部と、
撮影時の位置情報と日時の情報を含む撮影情報が付加されたサンプル画像を記憶する画像記憶部と、
前記位置計測部によって計測された位置情報及び前記時計部によって計測された日時の情報を含む現在情報を前記撮影情報と比較し、前記画像記憶部に記憶されたサンプル画像を抽出する抽出部と、
前記抽出部によって抽出された前記サンプル画像を表示する表示部と、
を備えることを特徴とする撮像装置。
【請求項２】
撮影方位を検出する方位検出部を備え、
前記現在情報は、前記方位検出部により検出された撮影方位の情報を含み、
前記撮影情報は、撮影時の撮影方位の情報を含むことを特徴とする請求項１に記載の撮像装置。
【請求項３】
前記画像記憶部は、撮影条件の情報を前記サンプル画像に付加して記憶し、
前記表示部は、前記サンプル画像に付加されている前記撮影条件の情報を前記サンプル画像と共に表示することを特徴とする請求項１又は請求項２に記載の撮像装置。
【請求項４】
前記現在情報と前記撮影情報との比較結果に基づいて、前記サンプル画像ごとの適合度合を決定する適合度合決定部を備え、
前記抽出部は、前記適合度合決定部によって決定された適合度合が高い順に前記サンプル画像を抽出することを特徴とする請求項１〜請求項３の何れか一項に記載の撮像装置。
【請求項５】
前記抽出部は、前記適合度合決定部によって決定された適合度合が閾値以上のサンプル画像を抽出することを特徴とする請求項４に記載の撮像装置。
【請求項６】
前記現在情報に含まれる情報の内、前記適合度合を決定するために優先する優先情報を入力する入力部を備え、
前記適合度合決定部は、前記入力部によって入力された前記優先情報を優先して前記サンプル画像の適合度合を決定することを特徴とする請求項４又は請求項５に記載の撮像装置。
【請求項７】
前記優先情報は、前記位置情報であることを特徴とする請求項６に記載の撮像装置。
【請求項８】
前記優先情報は、前記日時の情報であることを特徴とする請求項６に記載の撮像装置。
【請求項９】
前記表示部は、前記抽出部によって抽出された前記サンプル画像が存在することを示すアイコン表示を行ない、前記表示部による前記アイコン表示中に、前記サンプル画像を表示させる指示入力がなされた場合に、前記サンプル画像の表示を行なうことを特徴とする請求項１〜請求項８の何れか一項に記載の撮像装置。
【請求項１０】
前記表示部は、前記アイコン表示を行なう際に、前記サンプル画像の適合度合をアイコンの数によって示すことを特徴とする請求項９に記載の撮像装置。
【発明の詳細な説明】
【技術分野】
【０００１】
本発明は、撮像装置に関するものである。
【背景技術】
【０００２】
従来、撮影者がタッチペンによってタッチパネル上に描いた輪郭図に基づいて、その輪郭図に類似した画像を画像記録用メモリから読み出し表示部に表示させる撮像装置が存在する（例えば、特許文献１参照）。
【先行技術文献】
【特許文献】
【０００３】
【特許文献１】特許第３６６０９４３号公報
【発明の概要】
【発明が解決しようとする課題】
【０００４】
しかしながら、上述の撮像装置においては、輪郭図に基づいてサンプル画像を読み出すため、サンプル画像を表示させるのに手間が掛かってしまい、簡便にサンプル画像を表示させることはできなかった。
【０００５】
本発明の目的は、簡便にサンプル画像を表示させることができる撮像装置を提供することである。
【課題を解決するための手段】
【０００６】
本発明の撮像装置は、被写体を撮影する撮影部と、位置情報を計測する位置計測部と、日時を計測する時計部と、撮影時の位置情報と日時の情報を含む撮影情報が付加されたサンプル画像を記憶する画像記憶部と、前記位置計測部によって計測された位置情報及び前記時計部によって計測された日時の情報を含む現在情報を前記撮影情報と比較し、前記画像記憶部に記憶されたサンプル画像を抽出する抽出部と、前記抽出部によって抽出された前記サンプル画像を表示する表示部とを備えることを特徴とする。
【発明の効果】
【０００７】
本発明の撮像装置によれば、簡便にサンプル画像を表示させることができる。
【図面の簡単な説明】
【０００８】
【図１】実施の形態に係る撮像装置のシステム構成を示すブロック図である。
【図２】実施の形態に係る撮像装置のサンプル画像の表示処理を示すフローチャートである。
【図３】実施の形態に係るサンプル画像を表示させた撮像装置の背面図である。
【発明を実施するための形態】
【０００９】
以下、図面を参照して、本発明の実施の形態に係る撮像装置について説明する。図１は実施の形態に係る撮像装置のシステム構成を示すブロック図である。撮像装置２は、不図示の不揮発性メモリに格納された制御プログラムに従い、撮像装置２の各部を制御して撮像処理等を実行するＣＰＵ４を備える。ＣＰＵ４には、ＧＰＳ衛星から受信した信号に基づいて自己位置を測定するＧＰＳ６、撮影方位を計測する方位センサ８、自己位置の高度（海抜）を計測する高度センサ１０、水平面に対する撮像装置２の傾斜角度を計測する傾斜角センサ１２が接続されている。
【００１０】
また、ＣＰＵ４には、ＬＣＤ表示部１４、操作部１６、撮像素子１８及び通信部２２が接続され、更にメモリーカード２４が不図示のカードスロットを介して装着されている。ＬＣＤ表示部１４は、撮像装置２の背面に設けられた液晶モニタであってスルー画像や静止画像等を表示し、さらに各種設定を行う際のメニュー画面や撮影に関する情報等を表示する。
【００１１】
操作部１６は、撮影開始の指示を行なうレリーズボタン、ＬＣＤ表示部１４にメニュー画面を表示させるメニューボタン、メニュー項目等の選択や様々な設定時に操作される十字キー、メニュー項目等の選択や様々な設定に対する確定操作を行うためのＯＫボタン等を含んで構成されている。
【００１２】
撮像素子１８は、ＣＣＤまたはＣＭＯＳ等により構成され撮影レンズを介して入射した被写体光を撮像し、撮像信号をＣＰＵ４に対して出力する。通信部２２は、インターネット回線を介してインターネット上に存在する画像サーバからサンプル画像の画像データを受信する。
【００１３】
メモリーカード２４は、撮影された画像の画像データ等をＥｘｉｆ等の所定のファイル形式で記憶する。メモリーカード２４に記憶されている各画像データには、撮影時のシャッター速度や絞り値、ホワイトバランスの調整値等の撮影条件の情報、画像を撮影した日時情報、撮影した位置を示す位置情報、撮影時の撮影方位を示す方位情報、撮影時の高度を示す高度情報、撮影時の撮像装置２の傾斜角度を示す姿勢情報を含む撮影情報が付加されている。
【００１４】
次に、図２に示すフローチャートを参照して実施の形態に係る撮像装置２におけるサンプル画像の表示処理について説明する。先ず撮影者は静止画像を撮影するために静止画像撮影モードを設定し、被写体に撮影レンズを向ける（ステップＳ１）。これにより、被写体のスルー画像がＬＣＤ表示部１４に表示される。
【００１５】
ＣＰＵ４は、スルー画像の画角が所定時間（例えば、１秒間）変更されなかった場合には、ＧＰＳ６から自己位置に関する位置情報を取得し、時計機能によって現在の日時を計測する（ステップＳ２）。ＣＰＵ４は、取得した位置情報、計測した日時情報からなる現在情報と、メモリーカード２４に記憶されている画像データに付加されている撮影情報の位置情報及び日時情報を比較する。ＣＰＵ４は比較結果に基づく適合度合が閾値（例えば、４）以上になっているサンプル画像の有無を判断する（ステップＳ３）。
【００１６】
ここで適合度合は、現在情報の位置情報及び日時情報と、撮影情報として記憶されている位置情報及び日時情報との類似の度合を例えば５段階で示すものである。例えば、現在情報の日時情報に基づく季節及び時間帯が撮影情報の日時情報に基づく季節及び時間帯と略同じで、現在情報の位置情報に基づく撮像装置２の自己位置が、撮影情報の位置情報に基づく位置から１０ｍの範囲内にある場合には、適合度合を最大の５とする。また現在情報の日時情報に基づく季節及び時間帯が撮影情報の日時情報に基づく季節及び時間帯と略同じで、現在情報の位置情報に基づく自己位置が、撮影情報の位置情報に基づく位置から２０ｍ離れている場合には適合度合を４とする等のように適合度合が決定される。なお、ここでの時間帯とは、明け方、朝、昼前、昼過ぎ、夕方、夜のように一日を複数の時間帯に分割したものである。
【００１７】
また、位置情報又は日時情報のどちらかを優先情報とし、その優先情報に基づいて適合度合を決定してもよい。例えば撮影者が操作部１６を操作して優先情報を位置情報として設定した場合には、現在情報の日時情報が撮影情報の日時情報と略一致しても、現在情報の位置情報に基づく自己位置と、撮影情報の位置情報に基づく位置とが２０ｍ離れていれば適合度合を３とする。また現在情報の日時情報に基づく季節や時間帯が、撮影情報の日時情報に基づく季節や時間帯と異なっていても、現在情報の位置情報と撮影情報の位置情報とが一致していれば適合度合を５とする。
【００１８】
また、例えば撮影者が操作部１６を操作して優先情報を日時情報として設定した場合には、現在情報の位置情報に基づく自己位置と撮影情報の位置情報に基づく位置とが１０ｍ以上離れても、現在情報の日時情報と撮影情報の日時情報とが一致していれば適合度合を５とする。また、現在情報の位置情報と撮影情報の位置情報とが一致しても、現在情報の日時情報に基づく季節と撮影情報の日時情報に基づく季節とが異なる場合には、適合度合を３とする。
【００１９】
ＣＰＵ４は、適合度合が閾値以上のサンプル画像が無いと判断したとき（ステップＳ３、Ｎｏ）、サンプル画像検索処理を終了する。一方、ＣＰＵ４は、適合度合が閾値以上のサンプル画像が有ると判断したとき（ステップＳ３、Ｙｅｓ）、サンプル画像案内画面をＬＣＤ表示部１４に表示させる（ステップＳ４）。ここでサンプル画像案内画面は、スルー画像に重畳表示され、サンプル画像の表示が可能であることを示すアイコンを表示する。
【００２０】
ＣＰＵ４は、操作部１６によりサンプル画像を表示させるための入力操作がなされたか否かを判断する（ステップＳ５）。ＣＰＵ４は、サンプル画像を表示させる入力操作がなされたとき（ステップＳ５、Ｙｅｓ）、適合度合が閾値以上のサンプル画像の画像データをメモリーカード２４から抽出して読み出し、その画像データに基づくサンプル画像をＬＣＤ表示部１４に表示させる（ステップＳ６）。なお閾値以上のサンプル画像が複数存在する場合、ＣＰＵ４は適合度合が高い順にサンプル画像をＬＣＤ表示部１４に表示させ、撮影者による操作部１６の操作に応じて表示させるサンプル画像を切替える。
【００２１】
ＣＰＵ４は、サンプル画像を表示させる入力操作がなされずに、レリーズボタンが押下されたとき（ステップＳ５、Ｎｏ）、通常の撮影処理を実行して（ステップＳ９）サンプル画像の表示処理を終了する。
【００２２】
図３は実施の形態に係るサンプル画像を表示させた撮像装置の背面図である。ＬＣＤ表示部１４は、図３に示すようにサンプル画像の表示と共に、アイコン表示によって撮影者にサンプル画像の適合度合を示す。例えば適合度合が４であれば“◎”等の記号を４つ並べたアイコン表示を行なう。
【００２３】
次にＣＰＵ４は、詳細画面を表示させるための入力操作がなされたか否かを判断する（ステップＳ７）。ＣＰＵ４は、詳細画面を表示させる入力操作がなされたとき（ステップＳ７、Ｙｅｓ）、表示中のサンプル画像と共に、そのサンプル画像の画像データに付加されている撮影条件を表示する詳細画面をＬＣＤ表示部１４に表示させる（ステップＳ８）。そしてＣＰＵ４は、撮影者によりレリーズボタンが押下されたとき、通常の撮影処理を実行して（ステップＳ９）、サンプル画像の表示処理を終了する。
【００２４】
ＣＰＵ４は、詳細画面を表示させる入力操作がなされず、レリーズボタンが押下されたとき（ステップＳ７、Ｎｏ）、通常の撮影処理を実行して（ステップＳ６）、サンプル画像の表示処理を終了する。
【００２５】
この実施の形態によれば、撮像装置２の撮影レンズが被写体に向けられたときに、自己位置を含むその周囲で撮影されたサンプル画像の画像データをメモリーカード２４から抽出してＬＣＤ表示部１４に表示するので、撮影者にとっては容易にサンプル画像を表示させることができる。また撮影者がサンプル画像に類似した構図及び明るさの画像を撮影したい場合には、詳細画面を表示させることによりサンプル画像とその撮影条件を確認できるため所望する画像を容易に撮影することができ、より利便性が向上する。
【００２６】
なお、上述の実施の形態において、詳細画面の中に撮像装置２の自己位置からサンプル画像が撮影された位置までの距離と方向を表示させてもよい。その場合、ＣＰＵ４は現在情報の位置情報と、サンプル画像の画像データに付加されている位置情報とを比較し、自己位置からサンプル画像が撮影された位置までの距離と方向を算出する。そしてＣＰＵ４は算出した距離と方向を詳細画面に表示させる。そのようにすれば、撮影者は詳細画面に表示された距離と方向に従ってサンプル画像が撮影された位置へと移動でき、サンプル画像が撮影された位置で撮影を行なうことができる。
【００２７】
また、上述の実施の形態においては、メモリーカード２４に記憶されている画像データの中からサンプル画像の画像データを抽出している。しかしこれに限らず、通信部２２を介してインターネット上に存在する画像サーバからサンプル画像の画像データを受信してもよい。その場合には先ず通信部２２を介して画像サーバに位置情報と日時情報とを送信する。そして画像サーバに記憶されている画像データの内、送信した位置情報と日時情報に類似した位置情報と日時情報を含む撮影情報が付加されている画像データを、サンプル画像の画像データとして画像サーバから受信する。ここで画像サーバから複数の画像データを受信した場合には、適合度合が閾値以上のサンプル画像の画像データのみをメモリーカード２４に記憶させる。そして上述の実施の形態と同様に適合度合の高い順等でサンプル画像の表示を行なう。
【００２８】
また、上述の実施の形態においては、適合度合が４以上のサンプル画像を抽出しているが、サンプル画像を抽出するための適合度合の閾値を撮影者に設定させてもよい。
【００２９】
また、上述の実施の形態においては、位置情報、日時情報によって適合度合を決めているが、更に方位情報を加えて適合度合を決めてもよい。そのようにすれば、ＧＰＳ６で取得された位置情報の周囲に被写体が複数ある場合でも、方位情報に基づいて撮影方向に存在する被写体のサンプル画像の画像データのみを抽出することができ、より利便性が向上する。また高度情報と傾斜情報を更に加えて適合度合を決めてもよく、それにより撮像装置２が位置する高度と撮像装置２の傾斜角度から、撮影する被写体をより正確に特定し、その被写体に関するサンプル画像の画像データを抽出することができる。
【００３０】
また、上述の実施の形態において、画像データに付加している位置情報は、画像を撮影した位置を示す情報としたが、被写体の位置を示す情報としてもよい。
【００３１】
また、上述の実施の形態においては、サンプル画像案内画面に抽出したサンプル画像の枚数を表示してもよい。またサンプル画像案内画面に抽出したサンプル画像を、サムネイル表示によって複数枚まとめて表示させるようにしてもよい。
【００３２】
また、上述の実施の形態においては、サンプル画像の透明度を調節できるようにしてもよい。その場合サンプル画像をスルー画像に重畳させて表示させれば、容易にサンプル画像の構図と同じ構図で撮影を行なうことができる。
【符号の説明】
【００３３】
２…撮像装置、４…ＣＰＵ、６…ＧＰＳ、８…方位センサ、１０…高度センサ、１２…傾斜角センサ、１４…ＬＣＤ表示部、１６…操作部、１８…撮像素子、２２…通信部、２４…メモリーカード。
【図１】
2013141131.tif 000003
【図２】
2013141131.tif 000004
【図３】
2013141131.tif 000005